(57)【要約】【課題】特別の設置スペースを必要とせず、しかも、コスト的に有利に実現でき、加えて、屋内の空気を効果的に清浄化できる、屋内空気清浄システム及び同建具を提供する。【解決手段】屋外２に面する開口部に設置されたサッシ窓１が、二枚のガラス板４，５をそれらの間に空気層８が形成されるように互いに間隔をおいて備えたものからなり、該サッシ窓１の空気層８内に光触媒６が設けられている。そして、サッシ窓１には、空気層８と屋内空間７とを連通する空気の出口９と入口１０が設けられ、屋内７の空気が空気入口１０を通じて空気層８に送り込まれ、光触媒６で清浄化された後、空気出口９を通じて屋内７に送り返されるようになされている。【選択図】      図１
2005240434.tif 000002
【特許請求の範囲】
【請求項１】
屋外に面する開口部に設置された建具が、複数枚の透光板をそれらの間に空気層が形成されるように互いに間隔をおいて備えたものからなり、
該建具の空気層内に空気清浄材が設けられると共に、
該建具に、空気層と屋内空間とを連通する空気出口と、同空気層と屋内空間とを連通する空気入口とが設けられ、
屋内の空気が空気入口を通じて空気層に送り込まれ、空気清浄材で清浄化された後、空気出口を通じて屋内に送り返されるようになされていることを特徴とする屋内空気清浄システム。
【請求項２】
前記空気層で空気入口から空気出口への気流の流れを促進するように、透光板の光透過性が、該透光板の板面方向において異ならされている請求項１に記載の屋内空気清浄システム。
【請求項３】
空気層に空気入口から空気出口に向かう空気の流れを形成するファンと、該ファンを駆動する太陽光発電部が備えられている請求項１に記載の屋内空気清浄システム。
【請求項４】
前記空気清浄材が、光触媒からなる、又は、光触媒を含むものからなる請求項１乃至３のいずれか一に記載の屋内空気清浄システム。
【請求項５】
屋外に面する開口部に設置される建具であって、複数枚の透光板がそれらの間に空気層を形成するように互いに間隔をおいて備えられ、
該空気層内に空気清浄材が設けられると共に、
空気層と屋内空間とを連通する空気出口と、同空気層と屋内空間とを連通する空気入口とが設けられ、
空気入口を通じて空気層に送り込まれた空気が、空気清浄材で清浄化された後、空気出口を通じて屋内に送り返されるようになされていることを特徴とする屋内空気清浄用建具。
【発明の詳細な説明】
【技術分野】
【０００１】
本発明は、屋内空気清浄システム及び屋内空気清浄用建具に関する。
【背景技術】
【０００２】
屋内の空気を清浄化する目的で、従来より、種々の空気清浄機が提供されているが、機器の設置に特別のスペースを必要としたり、コストが高くついたり、高い空気清浄効果が得られにくいなどの問題があった。
【発明の開示】
【発明が解決しようとする課題】
【０００３】
本発明は、上記のような従来の問題点に鑑み、特別の設置スペースを必要とせず、しかも、コスト的に有利に実現することができ、加えて、屋内の空気を効果的に清浄化することができる、屋内空気清浄システム及び屋内空気清浄用建具を提供することを課題とする。
【課題を解決するための手段】
【０００４】
上記の課題は、屋外に面する開口部に設置された建具が、複数枚の透光板をそれらの間に空気層が形成されるように互いに間隔をおいて備えたものからなり、
該建具の空気層内に空気清浄材が設けられると共に、
該建具に、空気層と屋内空間とを連通する空気出口と、同空気層と屋内空間とを連通する空気入口とが設けられ、
屋内の空気が空気入口を通じて空気層に送り込まれ、空気清浄材で清浄化された後、空気出口を通じて屋内に送り返されるようになされていることを特徴とする屋内空気清浄システムによって解決される。
【０００５】
上記のシステムでは、空気清浄材が建具の透光板間の空気層内に備えられ、この空気層に屋内の空気を通して空気の清浄化を行うようになされているので、屋内空気を、空気清浄材に効果的に接触させ、効率良く清浄化していくことができる。
【０００６】
しかも、上記のシステムは、このように建具に空気清浄機能をもたせたものであるので、通常の建具に代えてこの建具を設置することで、システムを構築でき、システムの設置に特別のスペースを必要としない。
【０００７】
加えて、システムに用いる建具は、複数枚の透光板間に空気層を備えさせた建具であり、その建具に、空気清浄材と、空気の入口と出口とを備えさせたものであり、安価に製造することができ、システムをコスト的に有利に実現することができる。
【０００８】
上記のシステムにおいて、前記空気層で空気入口から空気出口への気流の流れを促進するように、透光板の光透過性が、該透光板の板面方向において異ならされているのもよい。この場合は、空気層内への屋内空気の積極的な送込みを自然の太陽エネルギーを利用して無電気で行うことができ、ランニングコストを低く抑えることができる。しかも、太陽光を受けない夜間などには、上記のような温度差上昇気流もなく、空気層における空気の流れも弱められ、特定条件下においては建具に断熱性をもたせることも可能である。
【０００９】
また、上記のシステムにおいて、空気層に空気入口から空気出口に向かう空気の流れを形成するファンと、該ファンを駆動する太陽光発電部が備えられているのもよい。この場合も、空気層内への屋内空気の積極的な送込みを自然エネルギーを利用して無電気で行うことができ、ランニングコストを低く抑えることができる。
【００１０】
また、上記のシステムにおいて、空気清浄材が、光触媒からなる、又は、光触媒を含むものからなる場合は、この空気清浄材が、屋外に面する開口部に設置された建具の複数枚の透光板間の空気層に設けられていることにより、自然の太陽光をうまい具合に利用して、光触媒に屋内空気の清浄化を効果的に行わせることができる。
【００１１】
また、上記の課題は、屋外に面する開口部に設置される建具であって、複数枚の透光板がそれらの間に空気層を形成するように互いに間隔をおいて備えられ、
該空気層内に空気清浄材が設けられると共に、
空気層と屋内空間とを連通する空気出口と、同空気層と屋内空間とを連通する空気入口とが設けられ、
空気入口を通じて空気層に送り込まれた空気が、空気清浄材で清浄化された後、空気出口を通じて屋内に送り返されるようになされていることを特徴とする屋内空気清浄用建具によっても、同様に解決される。
【発明の効果】
【００１２】
本発明は、以上のとおりのものであるから、特別の設置スペースを必要とせず、しかも、コスト的に有利に実現することができ、加えて、屋内の空気を効果的に清浄化することができる。
【発明を実施するための最良の形態】
【００１３】
次に、本発明の実施最良形態を図面に基づいて説明する。
【００１４】
図１及び図３に示す第１実施形態の屋内空気清浄システムにおいて、１は建具としてのサッシ窓で、屋外２に面する開口部に設置されており、該サッシ窓１は、透光板としての二枚のガラス板４，５がそれらの間に空気層８を形成するように互いに間隔をおいて備えられたものからなっていて、両ガラス板４，５の、空気層８に面する側の面にはそれぞれ、空気清浄材としての、可視光応答型などの光触媒６，６がコーティングされている。
【００１５】
また、ガラス板４，５を保持している上枠１ａの屋内７側の面部に、空気層８と連通する空気出口９が設けられると共に、同下枠１ｂの屋内７側の面部に、同じく空気層８と連通する空気入口１０が設けられ、空気入口１０を通じて空気層８に送り込まれた空気を、光触媒６，６に接触させた後、空気出口９を通じて屋内７に送り返すことができるようになされている。
【００１６】
そして、屋内７の空気をサッシ窓１の空気層８に積極的に通す手段として、本実施形態では、空気層８に温度差による上昇気流が形成されるように、ガラス板４，５の光透過性が上部側と下部側とで異ならされている。即ち、太陽光のうちの赤外線や高波長光が、ガラス板４，５の下側部分において上側部分よりも多く透過するようになされている。具体的には、ガラス板４，５自体の光透過性を上下で異ならせたり、あるいは、ガラス板４，５の反空気層側の面部に光透過性を変化させるシールや被膜を設けたりすることなどで実現することができる。
【００１７】
上記の屋内空気浄化システムでは、光触媒６，６がサッシ窓１のガラス板４，５間の空気層８内に面して備えられ、屋内７の空気を該空気層８に通して清浄化するようになされているので、屋内７の空気を、光触媒６，６に効果的に接触させ、効率良く清浄化していくことができる。
【００１８】
しかも、上記のシステムは、このようにサッシ窓１それ自体に空気清浄機能をもたせたものであるので、通常のサッシ窓に代えて上記のサッシ窓１を設置することで、システムを構築でき、システムの設置に特別のスペースを必要としない。
【００１９】
加えて、システムに用いるサッシ窓１は、二枚のガラス板４，５間に空気層８が備えられたサッシ窓であって、そのサッシ窓に、光触媒６，６と、空気の入口１０と出口９とを備えさせたものであり、安価に製造することができ、システムをコスト的に有利に実現することができる。
【００２０】
また、本実施形態では、屋内７の空気をサッシ窓１の空気層８に積極的に通すため、ガラス板４，５の光透過性を上部側と下部側とで異ならせて空気層８に温度差による上昇気流が形成されるようになされているので、空気層８内への屋内７の空気の送込みを自然の太陽エネルギーを利用して無電気で行うことができ、ランニングコストを低く抑えることができる。しかも、太陽光を受けず光触媒６，６も働かない夜間などには、空気層８に上記のような上昇気流も生じず、空気の流れもほぼ停止するので、サッシ窓１に断熱性をもたせることができる。
【００２１】
更に、空気の清浄化を、サッシ窓１のガラス面にコーティングされた光触媒６，６によって行うようにしているので、自然の太陽光をうまい具合に利用して、光触媒６，６に屋内７の空気の清浄化を効果的に行わせることができる。
【００２２】
また、本実施形態では、屋内空気を空気層８に積極的に通す手段も含めてすべてがサッシ窓１に組み込まれているので、サッシ窓１を室の開口部に取り付けるだけでよく、システムを容易に実現することができる。
【００２３】
図２に示す第２実施形態では、屋内７の空気をサッシ窓１の空気層８に積極的に通す手段として、第１実施形態における手段に代え、あるいは、同手段とともに、ガラス板４，５を保持する下枠１ｂの内部にファン１１が組み込まれると共に、該ファン１１を駆動する太陽光発電部１２が同下枠１ｂの屋外側の面部のような太陽光を受けることのできる位置に備えられている。その他は、第１実施形態と同様である。
【００２４】
本実施形態のシステムにおいても、空気層８内への屋内７の空気の送込みを自然の太陽エネルギーを利用して無電気で行うことができ、ランニングコストを低く抑えることができ、また、太陽光を受けず光触媒６，６も働かない夜間などには、発電がなされず、空気層８にファン１１による上昇気流も生じず、サッシ窓１に断熱性をもたせることができる。のみならず、光触媒６が太陽光を受けて働くと、同時に発電が起きてファン１１も駆動するので、屋内７の空気を簡素な始動機構で清浄化していくことができる。
【００２５】
以上に、本発明の実施形態を示したが、本発明はこれに限られるものではなく、発明思想を逸脱しない範囲で各種の変更が可能である。例えば、上記の実施形態では、空気清浄材として、光触媒を用いた場合を示しているが、その他の空気清浄材が用いられてもよいし、その他の空気清浄材と光触媒とを組み合わせたものが用いられてもよい。また、建具は、透光板が３枚又はそれ以上それらの間の空気層が形成されるように間隔をおいて備えられたものであってもよく、そのうちの一部又は全部の空気層に空気清浄材が設けられ、屋内空気が空気層に流通されるようになされていてもよい。また、建具は、図３に示すような引き違い式のサッシ窓に限らず、開き式のものであってもよいし、開閉しない固定のものであってもよいし、窓用に限らず、扉などであってもよい。また、建具は、ガラス板に限らず、アクリル板等の各種透光板が用いられたものであってもよい。
【図面の簡単な説明】
【００２６】
【図１】第１実施形態のシステム及び建具を示すもので、図３のＩ−Ｉ線断面矢視図である。
【図２】第２実施形態のシステム及び建具を示すもので、図３のＩ−Ｉ線断面矢視図である。
【図３】実施形態の建具を屋内側から見た正面図である。
【符号の説明】
【００２７】
１…サッシ窓（建具）
２…屋外
４，５…ガラス板（透光板）
６…光触媒
７…屋内
８…空気層
９…空気出口
１０…空気入口
１１…ファン
１２…太陽光発電部
【図１】
2005240434.tif 000003
【図２】
2005240434.tif 000004
【図３】
2005240434.tif 000005